(57)【要約】【課題】視野角の影響を受けにくく、表示画像における粗い感じを低減できる表示装置を提供する。【解決手段】注目画素の原階調値に付加値が付加された入力階調値が特定階調値範囲に属する場合、予め定められた階調値を前記原階調値に係る出力階調値として求めると共に、該出力階調値と前記入力階調値との差分に基づく付加値を前記注目画素の原階調値に付加して前記入力階調値を求めることにより、前記出力階調値を視野角の影響を受けにくい白と黒に近く、かつ一部の中間階調値に制限することができ、また、これにより発生する階調値の差分を注目画素の隣接画素に付加して見栄えの不具合を防止できる。【選択図】図１
2015018046.tif 000002
【特許請求の範囲】
【請求項１】
表示すべき画像の原階調値に対して画素毎に階調値調整を行ない、液晶パネルに出力すべき出力階調値を求める表示装置において、
注目画素の原階調値に付加値が付加された入力階調値が特定階調値範囲に属する場合、予め定められた階調値を前記原階調値に係る前記出力階調値として求める階調調整手段と、
前記出力階調値と前記入力階調値との差分を求める減算手段と、
求められた差分に基づき、注目画素の原階調値に前記付加値の付加を行い、前記入力階調値を求める付加手段と
を備えることを特徴とする表示装置。
【請求項２】
前記特定階調値範囲は一又は複数であり、
予め定められた階調値は、各階調値範囲の上限値又は下限値であることを特徴とする請求項１に記載の表示装置。
【請求項３】
前記入力階調値が、各特定階調値範囲内の閾値以下の下部範囲と、該閾値を超過する上部範囲との何れかに属するかを判定する判定手段を備え、
前記階調調整手段は、前記下部範囲に属すると判定された場合、前記下限値を前記出力階調値として求め、前記上部範囲に属すると判定された場合、前記上限値を前記出力階調値として求めるように構成されていることを特徴とする請求項２に記載の表示装置。
【請求項４】
前記減算手段によって求められた差分と、複数のパターンとに基づいて、前記原階調値に付加すべき付加値を算出する付加値算出手段を備え、
前記付加手段は、前記付加値算出手段によって算出された付加値を前記原階調値に付加するように構成されていることを特徴とする請求項１から３の何れかに記載の表示装置。
【請求項５】
前記複数のパターンは、同一の絶対値で正及び負の値を有するパラメータが対向配置された２つのパターンであることを特徴とする請求項４に記載の表示装置。
【請求項６】
前記付加値算出手段は、前記付加値の算出にて、フレーム毎に、前記２つのパターンを交互に用いるように構成されていることを特徴とする請求項５に記載の表示装置。
【請求項７】
注目画素と隣接画素との階調値差の最大絶対値を求める最大差算出手段と、
求められた最大絶対値を用いて、前記上限値及び下限値の変更を行なう変更手段を備えることを特徴とする請求項２から６の何れかに記載の表示装置。  
【請求項８】
前記変更手段は、前記最大絶対値が大きいほど、前記上限値及び下限値の差が小さくなるように前記上限値及び下限値の変更を行なうことを特徴とする請求項７に記載の表示装置。
【請求項９】
表示すべきフレームの注目画素と、直前の前フレームの該注目画素に対応する画素との原階調値の差の絶対値を算出する絶対値算出手段と、
算出された絶対値を用いて、前記上限値及び下限値の変更を行なう変更手段を備えることを特徴とする請求項２から６の何れかに記載の表示装置。
【請求項１０】
前記変更手段は、前記絶対値が大きいほど、前記上限値及び下限値の差が大きくなるように前記上限値及び下限値の変更を行なうことを特徴とする請求項９に記載の表示装置。
【請求項１１】
前記液晶パネルの表示面より前方を撮像する撮像部と、
該撮像部によって撮像された映像に基づいて、前記表示面より前方に居る人の数と、各人の位置が前記表示面に対してなす角度と、該表示面から各人までの距離とを検出する人検出手段と、
該人検出手段の検出結果に基づいて、前記上限値及び下限値の変更を行なう変更手段と
を備えることを特徴とする請求項２から６の何れかに記載の表示装置。
【請求項１２】
前記変更手段は、前記人の数が多いほど、前記角度が大きいほど、また、前記距離が短いほど、前記上限値及び下限値の差が大きくなるように前記上限値及び下限値の変更を行なうことを特徴とする請求項１１に記載の表示装置。
【発明の詳細な説明】
【技術分野】
【０００１】
本発明は、表示すべき画像の原階調値に対して画素毎に階調値調整を行ない、液晶パネルに出力すべき出力階調値を求める表示装置に関する。
【背景技術】
【０００２】
近年、液晶パネルを備える液晶表示装置が広く普及されている。このような液晶表示装置は、表示画素容量に電圧を印加して液晶分子の配向状態を変化することにより、液晶の有する光学的な異方性を利用して光の透過率を調整している。
【０００３】
そのため、液晶表示装置においては、印加電圧の変化のみならず、視角の変化によっても光路に対する液晶の配向状態が相対的に変化するので、視角依存性が高く視野角が狭いという欠点を有していた。
【０００４】
このような問題を改善するために、視野角の影響を受けにくい白と黒に近い画素を使い、隣り合う複数の画素を異なる階調に制御する事で、視野角を広げることができる。
【０００５】
例えば、特許文献１においては、ディザパターンの二次元配列に正の補正値と負の補正値とを少なくとも１つずつ含み、多階調化技術として該ディザパターンを用いてディザ法を施す画像表示装置について開示されている。該画像表示装置においては、映像信号よりも高い表示レートで、暗いレベルで駆動する回路は、液晶セルの閾値よりも低い電圧に設定されている。
【先行技術文献】
【特許文献】
【０００６】
【特許文献１】国際公開第２００６／００９１０６号パンフレット
【発明の概要】
【発明が解決しようとする課題】
【０００７】
しかしながら、上述したような特許文献１に係る画像表示装置においては、常にディザパターンを用いるため、解像度が低下し、粗い感じの画像として観察者に視認され、観察者に違和感を与えるという問題がある。特に、暗いレベルの視野角を改善するために補正値の絶対値を大きくすると悪化する。
【０００８】
本発明は、斯かる事情に鑑みてなされたものであり、その目的とするところは、注目画素の原階調値に付加値が付加された入力階調値が特定階調値範囲に属する場合、予め定められた階調値を前記原階調値に係る出力階調値として求めると共に、該出力階調値と前記入力階調値との差分に基づく付加値を前記注目画素の原階調値に付加して前記入力階調値を求めることにより、前記出力階調値を視野角の影響を受けにくい白と黒に近づけ、かつ一部の中間階調値に制限することができ、また、これにより発生する階調値の差分を注目画素の隣接画素に付加して見栄えの不具合を防止できる表示装置を提供することにある。
【課題を解決するための手段】
【０００９】
本発明に係る表示装置は、表示すべき画像の原階調値に対して画素毎に階調値調整を行ない、液晶パネルに出力すべき出力階調値を求める表示装置において、注目画素の原階調値に付加値が付加された入力階調値が特定階調値範囲に属する場合、予め定められた階調値を前記原階調値に係る前記出力階調値として求める階調調整手段と、前記出力階調値と前記入力階調値との差分を求める減算手段と、求められた差分に基づき、注目画素の原階調値に前記付加値の付加を行い、前記入力階調値を求める付加手段とを備えることを特徴とする。
【００１０】
本発明に係る表示装置は、前記特定階調値範囲は一又は複数であり、予め定められた階調値は、各階調値範囲の上限値又は下限値であることを特徴とする。
【００１１】
本発明に係る表示装置は、前記入力階調値が、各特定階調値範囲内の閾値以下の下部範囲と、該閾値を超過する上部範囲との何れかに属するかを判定する判定手段を備え、前記階調調整手段は、前記下部範囲に属すると判定された場合、前記下限値を前記出力階調値として求め、前記上部範囲に属すると判定された場合、前記上限値を前記出力階調値として求めるように構成されていることを特徴とする。
【００１２】
本発明に係る表示装置は、前記減算手段によって求められた差分と、複数のパターンとに基づいて、前記原階調値に付加すべき付加値を算出する付加値算出手段を備え、前記付加手段は、前記付加値算出手段によって算出された付加値を前記原階調値に付加するように構成されていることを特徴とする。
【００１３】
本発明に係る表示装置は、前記複数のパターンは、同一の絶対値で正及び負の値を有するパラメータが対向配置された２つのパターンであることを特徴とする。
【００１４】
本発明に係る表示装置は、前記付加値算出手段は、前記付加値の算出にて、フレーム毎に、前記２つのパターンを交互に用いるように構成されていることを特徴とする。
【００１５】
本発明に係る表示装置は、注目画素と隣接画素との階調値差の最大絶対値を求める最大差算出手段と、求められた最大絶対値を用いて、前記上限値及び下限値の変更を行なう変更手段を備えることを特徴とする。
【００１６】
本発明に係る表示装置は、前記変更手段は、前記最大絶対値が大きいほど、前記上限値及び下限値の差が小さくなるように前記上限値及び下限値の変更を行なうことを特徴とする。
【００１７】
本発明に係る表示装置は、表示すべきフレームの注目画素と、直前の前フレームの該注目画素に対応する画素との原階調値の差の絶対値を算出する絶対値算手段と、算出された絶対値を用いて、前記上限値及び下限値の変更を行なう変更手段を備えることを特徴とする。
【００１８】
本発明に係る表示装置は、前記変更手段は、前記絶対値が大きいほど、前記上限値及び下限値の差が大きくなるように前記上限値及び下限値の変更を行なうことを特徴とする。
【００１９】
本発明に係る表示装置は、前記液晶パネルの表示面より前方を撮像する撮像部と、該撮像部によって撮像された映像に基づいて、前記表示面より前方に居る人の数と、各人の位置が前記表示面に対してなす角度と、該表示面から各人までの距離とを検出する人検出手段と、該人検出手段の検出結果に基づいて、前記上限値及び下限値の変更を行なう変更手段とを備えることを特徴とする。
【００２０】
本発明に係る表示装置は、前記変更手段は、前記人の数が多いほど、前記角度が大きいほど、また、前記距離が短いほど、前記上限値及び下限値の差が大きくなるように前記上限値及び下限値の変更を行なうことを特徴とする。
【発明の効果】
【００２１】
本発明によれば、前記出力階調値を視野角の影響を受けにくい白又は黒に近く、かつ一部の中間階調値に制限することができるので、視野依存性の高い問題を改善しつつ、これにより発生する階調値の差分を注目画素の隣接画素に付加するので、当該画像表示における見栄えの不具合を防止できる。
【図面の簡単な説明】
【００２２】
【図１】本発明の実施の形態１に係る表示装置の要部構成を示す機能ブロック図である。
【図２】本発明の実施の形態１に係る表示装置において、階調調整部の処理における、入力階調値と出力階調値との関係を示すプロファイルである。
【図３】本発明の実施の形態１に係る表示装置における、階調値調整の一例を説明する説明図である。
【図４】本発明の実施の形態１に係る表示装置における、階調値調整の一例を説明する説明図である。
【図５】本発明の実施の形態１に係る表示装置における、階調値調整の一例を説明する説明図である。
【図６】本発明の実施の形態１に係る表示装置における、階調値調整の一例を説明する説明図である。
【図７】本発明の実施の形態１に係る表示装置における、階調値調整を説明するフローチャートである。
【図８】本発明の実施の形態２に係る表示装置の要部構成を示す機能ブロック図である。
【図９】本発明の実施の形態２に係る表示装置の付加値算出部によって生成されるパターンの一例を概念的に示す例示図である。
【図１０】本発明の実施の形態２に係る表示装置において、階調調整部の処理における、入力階調値と出力階調値との関係を示すプロファイルである。
【図１１】本発明の実施の形態２に係る表示装置における、階調値調整の一例を説明する説明図である。
【図１２】本発明の実施の形態２に係る表示装置における、階調値調整の一例を説明する説明図である。
【図１３】本発明の実施の形態２に係る表示装置にて階調値調整が施された場合の結果を説明するための説明図である。
【図１４】本発明の実施の形態２に係る表示装置にて階調値調整が施された場合の結果を説明するための説明図である。
【図１５】本発明の実施の形態３に係る表示装置の要部構成を示す機能ブロック図である。
【図１６】本発明の実施の形態３に係る表示装置の最大差算出部にて行なわれる処理を説明するための説明図である。
【図１７】本発明の実施の形態４に係る表示装置の要部構成を示す機能ブロック図である。
【図１８】本発明の実施の形態５に係る表示装置の要部構成を示す機能ブロック図である。
【発明を実施するための形態】
【００２３】
以下に、本発明の実施の形態に係る表示装置を図面に基づいて詳述する。
【００２４】
（実施の形態１）
図１は本発明の実施の形態１に係る表示装置１の要部構成を示す機能ブロック図である。
【００２５】
本発明の実施の形態１に係る表示装置１は、液晶パネル３０、液晶パネル３０のゲート線を駆動するゲート線駆動回路４０、複数のフレーム分の画像データを蓄積可能な記憶部２０、階調化された電圧を発生する電圧発生回路７０、液晶パネル３０のデータ線を駆動するデータ線駆動回路５０、データ線駆動回路５０及びゲート線駆動回路４０に表示タイミングを指示するクロック信号を出力するクロック８０、表示すべき画像の原階調値に対して画素毎に階調値調整を行い、液晶パネル３０に出力すべき出力階調値を求める出力値制御部１００を備えている。
【００２６】
また、出力値制御部１００は、液晶パネル３０に出力すべき出力階調値を求める出力値算出部６０と、前記原階調値に後述する付加値を付加して得られる入力階調値を出力値算出部６０に送出する付加値付加部１０とを有する。
【００２７】
以下、説明の便宜上、表示すべき画像に係る原階調値は０〜２５５の階調値からなるものとする。
【００２８】
記憶部２０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されており、例えば、液晶パネル３０に表示すべき画像データ（階調値）を記憶する。
【００２９】
データ線駆動回路５０は、出力値制御部１００から出力される前記出力階調値を順次受信して１フレーム分の画像データをラッチし、クロック８０から指示されるクロック信号に従って、電圧発生回路７０の生成する階調電圧から画像データに応じて選択した電圧を液晶パネル３０に印加する。また、ゲート線駆動回路４０は、クロック８０から指示されるクロック信号に従って液晶パネル３０にゲートパルスを印加し、液晶パネル３０を駆動する。
【００３０】
出力値制御部１００の出力値生成部６０は、ＣＰＵ６１と、ＲＯＭ（図示せず）と、ＲＡＭ（図示せず）と、階調調整部６２と、判定部６３と、減算部６４とを備えている。
【００３１】
ＲＯＭには各種の制御プログラム、演算用のパラメータのうちの基本的に固定のデータ等が予め格納されており、ＲＡＭはデータを一時的に記憶し、記憶順、記憶位置等に関係なく読み出すことが可能である。また、ＲＡＭは、例えば、ＲＯＭから読み出されたプログラム、該プログラムを実行することにより発生する各種データ、該実行の際適宜変化するパラメータ等を記憶する。
【００３２】
ＣＰＵ６１は、ＲＯＭに予め格納されている制御プログラムをＲＡＭ上にロードして実行することによって、上述した各種ハードウェアの制御を行ない、装置全体を本発明の表示装置１として動作させる。
【００３３】
判定部６３は、付加値付加部１０から送出される、注目画素の前記入力階調値が、０〜２５５の階調値の範囲内における、特定階調値範囲に属するか否かを判定する。また、斯かる特定階調値範囲は、１つであってもよく、複数であっても良い。本実施に置いては、説明の便宜上、前記特定階調値範囲が、「３２〜９６」及び「１６０〜２２４」の２つの範囲であるとする。以下、説明の便宜上、「３２〜９６」を第１特定階調値範囲といい、「１６０〜２２４」を第２特定階調値範囲という。
【００３４】
より詳しくは、判定部６３は、当該入力階調値が前記特定階調値範囲に属すると判断した場合、該特定階調値範囲内の閾値より小さい階調値範囲（以下、下部範囲という）に属するか、前記閾値より大きい階調値範囲（以下、上部範囲という）に属するかの判定を行なう。
【００３５】
すなわち、前記第１特定階調値範囲及び第２特定階調値範囲における上限の階調値を夫々ＭＡＸ１及びＭＡＸ２とし、下限の階調値を夫々ＭＩＮ１及びＭＩＮ２とした場合、判定部６３は、「閾値＜入力階調値≦ＭＡＸ１（又はＭＡＸ２）」であるか、「ＭＩＮ１（又はＭＩＮ２）≦入力階調値≦閾値」であるかを判定する。
【００３６】
前記閾値は、例えば、ＭＡＸ及びＭＩＮの中間値であるが、これに限るものでない。なお、本発明は以上の記載に限るものでなく、前記特定階調値範囲が３つ以上であるように構成しても良い。
【００３７】
階調調整部６２は、注目画素の入力階調値が何れかの特定階調値範囲に属する場合、予め定められた階調値を該注目画素の原階調値に係る出力階調値として求める。斯かる予め定められた階調値は、例えば、各特定階調値範囲における上限の階調値（ＭＡＸ１、ＭＡＸ２）、又は下限の階調値（ＭＩＮ１、ＭＩＮ２）である。
【００３８】
すなわち、階調調整部６２は、判定部６３による判定結果に基づいて、当該注目画素の入力階調値が何れかの特定階調値範囲の下部範囲に属する場合、当該特定階調値範囲における下限の階調値（ＭＩＮ１又はＭＩＮ２）を前記出力階調値として求める。一方、階調調整部６２は、判定部６３による判定結果に基づいて、当該注目画素の入力階調値が何れかの特定階調値範囲の上部範囲に属する場合、当該特定階調値範囲における上限の階調値（ＭＡＸ１又はＭＡＸ２）を前記出力階調値として求める。
【００３９】
図２は本発明の実施の形態１に係る表示装置１において、階調調整部６２の処理における、入力階調値と出力階調値との関係を示すプロファイルである。
【００４０】
図２に示すように、階調調整部６２は、注目画素の入力階調値が何れかの特定階調値範囲に属する場合、上部範囲であるか、下部範囲であるかに応じて、当該特定階調値範囲における上限の階調値又は下限の階調値を前記出力階調値として求める。
【００４１】
一方、注目画素の入力階調値が何れの特定階調値範囲にも属しない場合、階調調整部６２は、入力階調値をそのまま出力階調値として求める。
【００４２】
以上のような、階調調整部６２の処理によって、前記特定階調値範囲に対応する階調値範囲にて出力階調値が求められることはない。従って、視覚依存性が高い階調値の範囲で出力階調値が求められることを防ぐことができる。
【００４３】
階調調整部６２によって求められた出力階調値はデータ線駆動回路５０に送出される。この際、減算部６４はかかる出力階調値と、該出力階調値に係る入力階調値との差分を求める。減算部６４によって求められた差分は付加値付加部１０に送出される。
【００４４】
付加値付加部１０はバッファ１１及び付加部１２を有している。バッファ１１は、減算部６４によって求められた差分を受けて記憶する。
【００４５】
付加部１２は、前記注目画素に次いで上述した階調値調整を行なうべき画素、例えば、走査方向における、前記注目画素の隣りの画素（原階調値）に、バッファ１１に記憶されている差分を付加値として付加する。
【００４６】
上述したような、本発明における階調値調整は各画素毎に行なわれる。
【００４７】
図３から図６は本発明の実施の形態１に係る表示装置１における、階調値調整の一例を説明する説明図である。図３は表示すべき画像、及び、該画像に係る原階調値の例示図であり、図４は当該階調値調整の過程を示す説明図である。また、図５は斯かる原階調値に対して、本発明に係る表示装置１にて階調値調整が施された場合の画像であり、図６は原階調値に対して、一般のディザ法による処理が行われた場合の画像である。
【００４８】
例えば、図３に示す原階調値において矢印にて示されるラインデータを例とし、図２の入力階調値と出力階調値との関係のプロファイルを用いる場合を例に説明する。走査方向（図面視左から右方向）の１番目及び２番目の画素は、原階調値が「０」であり、付加値が「０」の時、入力階調値は「０」である。よって、出力階調値も「０」で、次の画素に付加すべき付加値は「０」となる。
【００４９】
また、３番目の画素は、原階調値が「６４」であり、付加値が「０」であるので、入力階調値は「６４」である。よって、出力階調値は「３２」となり、次の画素に付加すべき付加値は「３２」となる。
【００５０】
更に、４番目の画素は、原階調値が「６４」であって、付加値が「３２」であるので、入力階調値は「９６」である。よって、出力階調値は「９６」であり、次の画素に付加すべき付加値は「０」である。
【００５１】
また、５番目の画素は、原階調値が「１２８」であって、付加値が「０」であるので、入力階調値は「１２８」である。よって、何れの特定階調値範囲にも属さず、出力階調値はそのまま「１２８」であり、次の画素に付加すべき付加値は「０」である。
【００５２】
このような階調値調整を行う事で、表示すべき画像を０〜３２、９６〜１６０、２２４〜２５５の階調値だけで表現できる。また、入力階調値と出力階調値との差分たる付加値を隣りの画素に付加して反映するので、入力と出力との局所的な誤差は０になり、元の階調が保たれる。 
【００５３】
例えば、図４において、原階調値が「６４」「６４」及び「１２８」である画素における階調値の平均値は「８５．３」である。また、これら画素に対応する出力階調値は夫々「３２」、「９６」及び「１２８」であって平均値は「８５．３」であり、原階調値と同一である。
【００５４】
このような階調値調整によって画像表示を行なった場合、図５のような画像が得られる。このように本発明に係る表示装置１においては、視野角の影響を受けにくい白と黒に近い画素を使い、隣り合う複数の画素を異なる階調に制御する事で、視野角を広げつつ、白と黒だけでなく一部中間の階調値も使用することによって、少しだけ階調を増減した階調で表現し、粗い感じは低減されている。 
【００５５】
一方、図３に記載の原階調値に対して、所定のディザパターン（図６参照）を用いて一般のディザ法による処理が行われた場合は、図６のような画像が得られ、粗い感じを観察者に与える。
【００５６】
図７は本発明の実施の形態１に係る表示装置１における、階調値調整を説明するフローチャートである。説明の便宜上、図２の入力階調値と出力階調値との関係のプロファイルを用いる場合を例に説明する。
【００５７】
まず、表示すべき画像の所定の注目画素の原階調値が記憶部２０から読み込まれ、付加値付加部１０に送出される（ステップＳ１０１）。
【００５８】
付加部１２は、記憶部２０から送出された注目画素の原階調値に、バッファ１１に記憶されている差分を付加値として付加する（ステップＳ１０２）。これによって得られた入力階調値が出力値算出部６０に入力される。
【００５９】
この際、判定部６３は、入力された入力階調値が前記特定階調値範囲の何れかに属するか否かを判定する（ステップＳ１０３）。
【００６０】
判定部６３によって、入力された入力階調値が前記特定階調値範囲の何れにも属さないと判定された場合（ステップＳ１０３：ＮＯ）、階調調整部６２は、当該入力階調値をそのまま出力階調値として求める（ステップＳ１０７）。
【００６１】
一方、判定部６３は、入力された入力階調値が前記特定階調値範囲の何れかに属すると判定した場合（ステップＳ１０３：ＹＥＳ）、当該特定階調値範囲において、前記上部範囲に属するか否かを更に判定する（ステップＳ１０４）。
【００６２】
判定部６３によって、入力された入力階調値が、当該特定階調値範囲において、上部範囲に属さないと判定された場合（ステップＳ１０４：ＮＯ）、換言すれば、下部範囲に属すると判定された場合、階調調整部６２は、当該特定階調値範囲における下限の階調値（ＭＩＮ１又はＭＩＮ２）を前記出力階調値として求める（ステップＳ１０６）。
【００６３】
一方、判定部６３によって、入力された入力階調値が、当該特定階調値範囲において、上部範囲に属すると判定された場合（ステップＳ１０４：ＹＥＳ）、階調調整部６２は、当該特定階調値範囲における上限の階調値（ＭＡＸ１又はＭＡＸ２）を前記出力階調値として求める（ステップＳ１０５）。
【００６４】
このようにして、ステップＳ１０５、ステップＳ１０６、又はステップＳ１０７での処理が終わった場合、階調調整部６２によって求められた出力階調値はデータ線駆動回路５０に送出される。
【００６５】
また、減算部６４は、階調調整部６２によって求められた出力階調値と、該出力階調値に対応する入力階調値との差分を求める（ステップＳ１０８）。この際、ＣＰＵ６１は、減算部６４によって求められた差分を付加値付加部１０に送出する。
【００６６】
バッファ１１は、減算部６４によって求められた差分を受けて記憶する（ステップＳ１０９）。
【００６７】
なお、上述した階調調整部６２と、判定部６３と、減算部６４と、付加部１２とは、ハードウェアロジックによって構成してもよいし、ＣＰＵ６１が所定のプログラムを実行することにより、ソフトウェア的に構築されてもよい。
【００６８】
（実施の形態２）
本発明の実施の形態２に係る表示装置１は、実施の形態１に係る表示装置１と略同様の構成を有するが、付加値付加部１０の構成において相違する。
【００６９】
図８は本発明の実施の形態２に係る表示装置１の要部構成を示す機能ブロック図である。実施の形態２に係る表示装置１の付加値付加部１０は、実施の形態１と同様、バッファ１１及び付加部１２を有しており、更に、付加値算出部１３及びカウンタ１４を有している。
【００７０】
カウンタ１４は注目画素を指定する。すなわち、カウンタ１４は順次、入力画像の各画素の座標を指定する。これによって、画素の２次元座標（Ｘ，Ｙ）が指定され、斯かる座標の画素が注目画素として選択される。
【００７１】
付加値算出部１３は、このように、カウンタ１４によって注目画素が選択された場合、換言すれば、注目画素の座標が特定された場合、斯かる注目画素の座標に応じて、特定のパターンを複数生成する。また、付加値算出部１３は生成されたパターンと、減算部６４によって求められた差分とに基づいて、前記原階調値に付加すべき付加値を算出する。
【００７２】
図９は本発明の実施の形態２に係る表示装置１の付加値算出部１３によって生成されるパターンの一例を概念的に示す例示図である。付加値算出部１３は、例えば、パターン１及びパターン２の２つのパターンを生成する。
【００７３】
各パターンにおいては、各セルのパラメータが同一の絶対値であって、正及び負の値を有しており、相互対向配置され、各セルのパラメータの合計が０となるように構成されている。しかし、本発明はこれに限るものでない。前記パターンにおける各セルのパラメータが同一の絶対値でなくてもよく、相互対向配置されたパラメータが正及び負の値を有し、各セルのパラメータの合計が０となるように構成すれば良い。
【００７４】
付加値算出部１３は、表示すべき画像のフレーム毎に、前記２つのパターンを交互に用いて、前記付加値を算出する。詳しくは、注目画素の座標に応じて生成されたパターンのパラメータを、減算部６４によって求められた差分と合算することにより、前記付加値を算出する。
【００７５】
すなわち、付加値算出部１３は、注目画素の座標（Ｘ，Ｙ）において、一のフレームに対しては前記パターン１を用いて、Ｘが奇数で、Ｙが奇数の場合は＋３２を、Ｘが偶数で、Ｙが奇数の場合は−３２を、Ｘが奇数で、Ｙが偶数の場合は−３２を、Ｘが偶数で、Ｙが偶数の場合は＋３２を、減算部６４によって求められた差分と合算する。
【００７６】
また、付加値算出部１３は、次のフレームに対しては前記パターン２用いて、Ｘが奇数で、Ｙが奇数の場合は−３２を、Ｘが偶数で、Ｙが奇数の場合は＋３２を、Ｘが奇数で、Ｙが偶数の場合は＋３２を、Ｘが偶数で、Ｙが偶数の場合は−３２を、減算部６４によって求められた差分と合算する。
【００７７】
以下に、実施の形態２に係る表示装置１において、上述したように、付加値算出部１３によって算出された加算値を付加した出力階調値を用いて、本発明に係る階調値調整が施された結果について説明する。説明の便宜上、以下の説明においては、特定階調値範囲が１つであり、ＭＡＸ及びＭＩＮが夫々「１９２」及び「６４」である場合を例として説明する。
【００７８】
図１０は本発明の実施の形態２に係る表示装置１において、階調調整部６２の処理における、入力階調値と出力階調値との関係を示すプロファイルである。なお、斯かる場合において、閾値は「１２８」であるとする。
【００７９】
また、図１１及び図１２は本発明の実施の形態２に係る表示装置１における、階調値調整の一例を説明する説明図である。図１１は表示すべき画像、及び、該画像に係る原階調値の例示図であり、図１２は斯かる原階調値に対して、本発明の実施の形態２に係る表示装置１にて階調値調整が施された場合の画像である。
【００８０】
表示すべき画像の原階調値としては、１２８階調値のデータが入力された場合を例にしており、付加値算出に係るパターンとしては、図９に示すパターン１及びパターン２が用いられた場合を例に挙げている。上述したように、付加値算出部１３は、フレーム毎に、前記２つのパターンを交互に用いて前記付加値を算出する。
【００８１】
図１１の表示すべき画像（原階調値）の差分の初期値を０とし、前記２のパターンを用いて付加値算出部１３による加算値が算出され、該付加値を付加した出力階調値を用いて、本発明に係る階調値調整が施された場合、図１２（Ａ）の出力画像１及び図１２（Ｂ）の出力画像２が交互に表示される。図１２（Ａ）の出力画像１は、パターン１を用いて付加値が算出された場合であり、図１２（Ｂ）の出力画像２は、パターン２を用いて付加値が算出された場合を示す。
【００８２】
図１２（Ａ）の出力画像１及び図１２（Ｂ）の出力画像２において、１つの画素に注目すると、時間と共に６４と１９２とが交互に表示されることになり、視覚的にはその平均である「（６４＋１９２）／２＝１２８」に見え、表示すべき画像（図１１参照）と同じように見えるが、６５〜１９１の出力階調値は使用していない。 
【００８３】
つまり、出力映像１又は出力映像２だけを見ると明るい画素と暗い画素が並び、粗い感じを受けるが、時間的に、かつ、交互に、高速に切り替えることで、視覚的に平均化され、粗い感じが大幅に低減される。以下、より詳しく説明する。
【００８４】
図１３及び図１４は本発明の実施の形態２に係る表示装置１にて階調値調整が施された場合の結果を説明するための説明図である。図１３は視野角及び視覚依存性を説明するグラフであり、図１４は本発明に係る階調値調整が施される前後を比較する比較図である。
【００８５】
液晶表示においては、上述したように、視角の変化によっても光路に対する液晶の配向状態が相対的に変化するので、視角依存性が高く視野角が狭いという欠点を有していた。例えば、正面から見た時の液晶の透過率を、図１３（Ａ）のように出力階調値に比例しているとする。この場合、斜めから液晶の透過率を測定すると図１３（Ｂ）のように中間階調の透過率が上昇したように見える。なお、これらのグラフは、出力階調値が２５５の時の透過率が１．０になるように正規化している。 
【００８６】
そのため、例えば図１４（Ａ）の画像１のように全体が１２８の階調値を持つ場合、正面から見ると透過率は０．５だが、斜めから見ると０．７５となる。 
【００８７】
そこで、６５〜１９１の範囲の階調値を使用しないようにし、上述したように算出された付加値を用いると、図１４（Ｂ）の画像２のように、６４と１９２の階調値のみで表現できる。 
【００８８】
このように、６４と１９２との画素を交互に並べると、正面から見た時の平均の透過率は「（０．７５＋０．２５）／２＝０．５」で、斜めから見た場合は「（０．９＋０．３）／２＝０．６」となり、図１４（Ａ）の映像１より改善され、正面から見た場合の透過率０．５に近づいている事が分かる。
【００８９】
なお、上述した階調調整部６２と、判定部６３と、減算部６４と、付加部１２と、付加値算出部１３とは、ハードウェアロジックによって構成してもよいし、ＣＰＵ６１が所定のプログラムを実行することにより、ソフトウェア的に構築されてもよい。
【００９０】
実施の形態１と同様の部分については、同一の符号を付して詳細な説明を省略する。
【００９１】
（実施の形態３）
本発明の実施の形態３に係る表示装置１は、実施の形態１に係る表示装置１と略同様の構成を有するが、出力値生成部６０の構成において相違する。
【００９２】
図１５は本発明の実施の形態３に係る表示装置１の要部構成を示す機能ブロック図である。実施の形態３に係る表示装置１の出力値生成部６０は、実施の形態１と同様、ＣＰＵ６１と、階調調整部６２と、判定部６３と、減算部６４とを備えており、更に、最大差算出部６５及び変更部６６を有している。また、実施の形態３に係る表示装置１は、更にラインメモリ２１を備えている。
【００９３】
ラインメモリ２１は、表示すべき画像に係る原階調値のデータのうち、注目画素が属する現ラインデータと、該現ラインデータに対して、直前の直前ラインデータ及び直後の直後ラインデータとを記憶するように構成されている。ラインメモリ２１は、記憶部２０から斯かるラインデータを取得して記憶する。
【００９４】
最大差算出部６５は、注目画素の原階調値と、該注目画素の隣接画素の原階調値との差からいわゆるエッジの検出を行なう。より詳しくは、最大差算出部６５は、現ラインデータ、直前ラインデータ及び直後ラインデータをラインメモリ２１から取得する。また、最大差算出部６５は、注目画素毎に、当該注目画素を挟んで対向する４つ画素の原階調値と、該注目画素の原階調値との差の最大絶対値を求める。
【００９５】
図１６は本発明の実施の形態３に係る表示装置１の最大差算出部６５にて行なわれる処理を説明するための説明図である。また、以下の説明においては、図１６に示すパターンにおいて、階調値「Ｄ１１」に係るセルを注目画素とする。
【００９６】
このような場合、最大差算出部６５は、前記最大絶対値（ｅｄｇｅ）を以下の式によって求める。
ｅｄｇｅ＝最大値（｜Ｄ１１−Ｄ０１｜，｜Ｄ１１−Ｄ１０｜，｜Ｄ１１−Ｄ１２｜，｜Ｄ１１−Ｄ２１｜）
【００９７】
変更部６６は、最大差算出部６５によるエッジ検出の結果、すなわち、最大差算出部６５によって求められた最大絶対値を用いて、特定階調値範囲における上限の階調値（ＭＡＸ）、及び下限の階調値（ＭＩＮ）を変更する。より詳しくは、変更部６６は、前記最大絶対値が大きいほど、前記ＭＡＸ及びＭＩＮの差が小さくなるように、該最大絶対値が小さいほど、前記ＭＡＸ及びＭＩＮの差が大きくなるように該ＭＡＸ及びＭＩＮを変更する。
【００９８】
上述したように、最大差算出部６５によって最大絶対値（ｅｄｇｅ）が求められた場合、変更部６６は、例えば、以下の式によって、当該特定階調値範囲におけるＭＡＸ及びＭＩＮを変更する。
【００９９】
ＭＡＸ＝閾値＋ａ／（ｂ＋ｅｄｇｅ）
ＭＩＮ＝閾値−ａ／（ｂ−ｅｄｇｅ）
ここで、ａ＞０、ｂ＞０である。
【０１００】
また、これに限るものでなく、最大絶対値に応じて当該閾値を変更するように構成しても良い。
【０１０１】
以上のように本発明の実施の形態３に係る表示装置１においては、当該注目画素がエッジか否かに応じて当該特定階調値範囲におけるＭＡＸ及びＭＩＮを変更する。かつ、前記ＭＡＸ及びＭＩＮの変更において、強いエッジ部はＭＡＸ及びＭＩＮの差を小さくし、エッジが弱くなるとＭＡＸ及びＭＩＮの差を大きくする事で、文字などのエッジの凸凹を低減しつつ、視野角を改善する事が出来る。 
【０１０２】
なお、上述した階調調整部６２と、判定部６３と、減算部６４と、最大差算出部６５と、変更部６６と、付加部１２とは、ハードウェアロジックによって構成してもよいし、ＣＰＵ６１が所定のプログラムを実行することにより、ソフトウェア的に構築されてもよい。
【０１０３】
実施の形態１と同様の部分については、同一の符号を付して詳細な説明を省略する。
【０１０４】
（実施の形態４）
本発明の実施の形態４に係る表示装置１は、実施の形態１に係る表示装置１と略同様の構成を有するが、出力値生成部６０の構成において相違する。
【０１０５】
図１７は本発明の実施の形態４に係る表示装置１の要部構成を示す機能ブロック図である。実施の形態４に係る表示装置１の出力値生成部６０は、実施の形態１と同様、ＣＰＵ６１と、階調調整部６２と、判定部６３と、減算部６４とを備えており、更に、絶対値算出部６７及び変更部６６Ａを有している。また、実施の形態４に係る表示装置１は、更にフレームメモリ２２を備えている。
【０１０６】
フレームメモリ２２は、表示すべき画像に係る原階調値のデータのうち、注目画素が属する現フレームデータと、該現ラインデータに対して、直前の直前フレームデータとを記憶するように構成されている。フレームメモリ２２は、記憶部２０から斯かるフレームデータを取得して記憶する。
【０１０７】
絶対値算出部６７は、注目画素の階調値と、前記直前フレームの該注目画素に対応する画素（以下、対応画素という。）の階調値との差から、当該注目画素に係る画像（又は画像部分）が動画（又は移動物）であるか、静止画（静止物）であるかの判定を行なう。より詳しくは、絶対値算出部６７は、現フレームデータ及び直前フレームデータをフレームメモリ２２から取得する。また、絶対値算出部６７は、注目画素毎に、当該注目画素の階調値と、前記直前フレームの対応画素の原階調値とを比較して、その差の絶対値を動画・静止画判定結果（ｍｖ）として求める。
【０１０８】
変更部６６Ａは、絶対値算出部６７による動画・静止画判定の結果、すなわち、絶対値算出部６７によって求められた動画・静止画判定結果（ｍｖ）を用いて、特定階調値範囲における上限の階調値（ＭＡＸ）、及び下限の階調値（ＭＩＮ）を変更する。より詳しくは、変更部６６Ａは、前記動画・静止画判定結果が大きいほど、前記ＭＡＸ及びＭＩＮの差が大きくなり、該最大絶対値が小さいほど、前記ＭＡＸ及びＭＩＮの差が小さくなるように該ＭＡＸ及びＭＩＮを変更する。
【０１０９】
上述したように、絶対値算出部６７によって動画・静止画判定結果（ｍｖ）が求められた場合、変更部６６Ａは、例えば、以下の式によって、当該特定階調値範囲におけるＭＡＸ及びＭＩＮを変更する。
【０１１０】
ＭＡＸ＝閾値＋ｍｖ×ａ
ＭＩＮ＝閾値−ｍｖ×ａ
ここで、ａは定数である。
【０１１１】
また、これに限るものでなく、動画・静止画判定結果に応じて当該閾値を変更するように構成しても良い。
【０１１２】
以上のように本発明の実施の形態４に係る表示装置１においては、当該注目画素に係る画像（画像部分）が動画であるか、静止画（静止画部分）でるかの判定結果に応じて当該特定階調値範囲におけるＭＡＸ及びＭＩＮを変更する。かつ、斯かる判定の結果、動画（動画部分）である場合は粗い感じが視認されにくいので、前記ＭＡＸ及びＭＩＮの差を大きくして、換言すれば、未使用階調値範囲を広くして視野角改善を優先し、静止画（静止画部分）である場合は粗い感じが視認され易いので前記ＭＡＸ及びＭＩＮの差を小さくして、換言すれば、未使用階調値範囲を狭くして画質を優先する。これによって、実施の形態４に係る表示装置１においては、動画（動画部分）と静止画（静止画部分）で最適な表示が可能である。 
【０１１３】
なお、上述した階調調整部６２と、判定部６３と、減算部６４と、絶対値算出部６７と、変更部６６Ａと、付加部１２とは、ハードウェアロジックによって構成してもよいし、ＣＰＵ６１が所定のプログラムを実行することにより、ソフトウェア的に構築されてもよい。
【０１１４】
実施の形態１と同様の部分については、同一の符号を付して詳細な説明を省略する。
【０１１５】
（実施の形態５）
本発明の実施の形態５に係る表示装置１は、実施の形態１に係る表示装置１と略同様の構成を有するが、出力値生成部６０の構成において相違する。
【０１１６】
図１８は本発明の実施の形態５に係る表示装置１の要部構成を示す機能ブロック図である。実施の形態５に係る表示装置１の出力値生成部６０は、実施の形態１と同様、ＣＰＵ６１と、階調調整部６２と、判定部６３と、減算部６４とを備えており、更に、人検出部６８及び変更部６６Ｂを有している。また、実施の形態５に係る表示装置１は、更に撮像部９０を備えている。
【０１１７】
撮像部９０は液晶パネル３０の画像の表示面より前方を撮像する。撮像部９０は、例えば、フォーカスレンズを含むレンズユニット（図示しない）より入射した光をＣＣＤ又はＣＭＯＳなどからなる撮像素子（図示しない）にて光電変換する。光電変換された電気信号はＡ／Ｄ変換回路（図示しない）により、デジタル形式の画像に変換され、人検出部６８に送られる。
【０１１８】
人検出部６８は、撮像部９０によって撮像された画像データに基づいて、液晶パネル３０の表示面より前方に居る人の数と、該表示面に垂直な方向に対して各人の位置がなす角度と、該表示面から各人までの距離とを検出する。このような検出に係る技術は公知のものであり、詳しい説明を省略する。
【０１１９】
変更部６６Ｂは、人検出部６８による検出の結果を用いて、特定階調値範囲における上限の階調値（ＭＡＸ）、及び下限の階調値（ＭＩＮ）を変更する。変更部６６Ｂは、前記人の数が多いほど、前記角度が大きいほど、また、前記距離が短いほど、前記ＭＡＸ及びＭＩＮの差が大きくなるように変更する。以下、詳しく説明する。
【０１２０】
まず、変更部６６Ｂは、人検出部６８による検出の結果から、前記表示面より前方に居る人の数（ｎｕｍ）と、該表示面に垂直な方向に対して各人の位置がなす角度（ａｎｇ）と、該表示面から各人までの距離（ｄｉｓ）とを取得し、前記ＭＡＸ及びＭＩＮの変更に係るパラメータ（｜ｖ｜）を求める。｜ｖ｜は、例えば、以下の式によって、求められる。
｜ｖ｜＝ａｎｇ×ｎｕｍ／ｄｉｓ
【０１２１】
上述したようにして、パラメータ（｜ｖ｜）が求められた場合、変更部６６Ｂは、例えば、以下の式によって、当該特定階調値範囲におけるＭＡＸ及びＭＩＮを変更する。
【０１２２】
ＭＡＸ＝閾値＋｜ｖ｜×ａ
ＭＩＮ＝閾値−｜ｖ｜×ａ
ここで、ａは定数である。
【０１２３】
また、これに限るものでなく、動画・静止画判定結果に応じて当該閾値を変更するように構成しても良い。
【０１２４】
以上のように本発明の実施の形態５に係る表示装置１においては、液晶パネル３０の表示面より前方に居る人の数と、該表示面に垂直な方向に対して各人の位置がなす角度と、該表示面から各人までの距離とに応じて、当該特定階調値範囲におけるＭＡＸ及びＭＩＮの変更を行なう。
【０１２５】
すなわち、本発明の実施の形態５に係る表示装置１においては、液晶パネル３０の表示面の斜め方向に観察者がいる場合は視野角改善を優先して前記ＭＡＸ及びＭＩＮの差を大きく、換言すれば、未使用階調値範囲を広くする。一方、観察者が前記表示面の正面に近づけば近づくほど、前記ＭＡＸ及びＭＩＮの差を小さく、すなわち、未使用階調値範囲を狭くする。これによって、観察者が前記表示面の正面にしかいないような場合は粗い感じを低減し、該表示面に対して斜め方向にいる場合は、輝度、色のズレを低減する事ができる。
【０１２６】
なお、上述した階調調整部６２と、判定部６３と、減算部６４と、人検出部６８と、変更部６６Ｂと、付加部１２とは、ハードウェアロジックによって構成してもよいし、ＣＰＵ６１が所定のプログラムを実行することにより、ソフトウェア的に構築された構成であってもよい。
【０１２７】
実施の形態１と同様の部分については、同一の符号を付して詳細な説明を省略する。
【０１２８】
なお、本発明は以上の記載に限るものでない。実施の形態１に係る構成に、実施の形態３に係る構成を含ませる等、実施の形態１〜５の間において、その構成の組み合わせも可能である。
【０１２９】
本発明に係る表示装置は、表示すべき画像の原階調値に対して画素毎に階調値調整を行ない、液晶パネルに出力すべき出力階調値を求める表示装置１において、注目画素の原階調値に付加値が付加された入力階調値が特定階調値範囲に属する場合、予め定められた階調値を前記原階調値に係る前記出力階調値として求める階調調整手段６２と、前記出力階調値と前記入力階調値との差分を求める減算手段６４と、求められた差分に基づき、注目画素の原階調値に前記付加値の付加を行い、前記入力階調値を求める付加手段１２とを備えることを特徴とする。
【０１３０】
本発明にあっては、注目画素の原階調値に付加値が付加された入力階調値が特定階調値範囲に属する場合、前記階調調整手段が予め定められた階調値を前記原階調値に係る出力階調値として求めると共に、前記減算手段該出力階調値と前記入力階調値との差分を求め、該差分に基づく付加値を前記付加手段が前記注目画素の原階調値に付加して前記入力階調値を求める。
【０１３１】
本発明に係る表示装置は、前記特定階調値範囲は一又は複数であり、予め定められた階調値は、各階調値範囲の上限値又は下限値であることを特徴とする。
【０１３２】
本発明にあっては、注目画素に係る入力階調値が何れかの特定階調値範囲に属する場合、前記階調調整手段が当該特定階調値の上限値又は下限値を前記出力階調値として求める。
【０１３３】
本発明に係る表示装置は、前記入力階調値が、各特定階調値範囲内の閾値以下の下部範囲と、該閾値を超過する上部範囲との何れかに属するかを判定する判定手段６３を備え、前記階調調整手段６２は、前記下部範囲に属すると判定された場合、前記下限値を前記出力階調値として求め、前記上部範囲に属すると判定された場合、前記上限値を前記出力階調値として求めるように構成されていることを特徴とする。
【０１３４】
本発明にあっては、前記判定手段によって、前記入力階調値が何れかの特定階調値範囲の下部範囲に属すると判定された場合、前記階調調整手段は当該特定階調値範囲の下限値を前記出力階調値として求める。また前記判定手段によって、前記入力階調値が何れかの特定階調値範囲の上部範囲に属すると判定された場合、前記階調調整手段は当該特定階調値範囲の上限値を前記出力階調値として求める。
【０１３５】
本発明に係る表示装置は、前記減算手段６４によって求められた差分と、複数のパターンとに基づいて、前記原階調値に付加すべき付加値を算出する付加値算出手段１３を備え、前記付加手段１２は、前記付加値算出手段１３によって算出された付加値を前記原階調値に付加するように構成されていることを特徴とする。
【０１３６】
本発明にあっては、前記付加値算出手段は、前記減算手段によって求められた差分と、複数のパターンとに基づいて、前記付加値を算出する。前記付加手段は、前記付加値算出手段によって算出された付加値を前記原階調値に付加する。
【０１３７】
本発明に係る表示装置は、前記複数のパターンは、同一の絶対値で正及び負の値を有するパラメータが対向配置された２つのパターンであることを特徴とする。
【０１３８】
本発明にあっては、前記付加値算出手段は、前記減算手段によって求められた差分と、同一の絶対値で正及び負の値を有するパラメータが対向配置された２つのパターンとに基づいて、前記付加値を算出する。
【０１３９】
本発明に係る表示装置は、前記付加値算出手段１３は、前記付加値の算出にて、フレーム毎に、前記２つのパターンを交互に用いるように構成されていることを特徴とする。
【０１４０】
本発明にあっては、前記付加値算出手段は、フレーム毎に、前記２つのパターンを交互に用いて前記付加値の算出を行なう。
【０１４１】
本発明に係る表示装置は、注目画素と隣接画素との階調値差の最大絶対値を求める最大差算出手段６５と、求められた最大絶対値を用いて、前記上限値及び下限値の変更を行なう変更手段６６を備えることを特徴とする。
【０１４２】
本発明にあっては、前記最大差算出手段が当該注目画素と、該注目画素の隣接画素との階調値差の絶対値のうち、最大である最大絶対値を求める。前記変更手段は求められた最大絶対値を用いて、前記上限値及び下限値の変更を行なう。
【０１４３】
本発明に係る表示装置は、前記変更手段６６は、前記最大絶対値が大きいほど、前記上限値及び下限値の差が小さくなるように前記上限値及び下限値の変更を行なうことを特徴とする。
【０１４４】
本発明にあっては、前記変更手段は、前記最大絶対値が大きいほど、前記上限値及び下限値の差が小さくなるように前記上限値及び下限値の変更を行ない、また、前記最大絶対値が小さいほど、前記上限値及び下限値の差が大きくなるように前記上限値及び下限値の変更を行なう。
【０１４５】
本発明に係る表示装置は、表示すべきフレームの注目画素と、直前の前フレームの該注目画素に対応する画素との原階調値の差の絶対値を算出する絶対値算出手段６７と、算出された絶対値を用いて、前記上限値及び下限値の変更を行なう変更手段６６Ａを備えることを特徴とする。
【０１４６】
本発明にあっては、前記絶対値算出手段が、表示すべきフレームの注目画素と、直前の前フレームの該注目画素に対応する画素との原階調値の差の絶対値を算出し、前記絶対値算出手段によって算出された絶対値を用いて、前記変更手段が前記上限値及び下限値の変更を行なう。
【０１４７】
本発明に係る表示装置は、前記変更手段６６Ａは、前記絶対値が大きいほど、前記上限値及び下限値の差が大きくなるように前記上限値及び下限値の変更を行なうことを特徴とする。
【０１４８】
本発明にあっては、前記変更手段は、前記絶対値が大きいほど、前記上限値及び下限値の差が大きくなるように前記上限値及び下限値の変更を行ない、また、前記絶対値が小さいほど、前記上限値及び下限値の差が小さくなるように前記上限値及び下限値の変更を行なう。
【０１４９】
本発明に係る表示装置は、前記液晶パネルの表示面より前方を撮像する撮像部９０と、該撮像部９０によって撮像された映像に基づいて、前記表示面より前方に居る人の数と、各人の位置が前記表示面に対してなす角度と、該表示面から各人までの距離とを検出する人検出手段６８と、該人検出手段６８の検出結果に基づいて、前記上限値及び下限値の変更を行なう変更手段６６Ｂとを備えることを特徴とする。
【０１５０】
本発明にあっては、前記撮像部前記液晶パネルの表示面より前方を撮像し、撮像された映像に基づいて、前記人検出手段が前記表示面より前方に居る人の数と、各人の位置が前記表示面に対してなす角度と、該表示面から各人までの距離とを検出する。また、前記変更手段は、前記人検出手段の検出結果に基づいて、前記上限値及び下限値の変更を行なう。
【０１５１】
本発明に係る表示装置は、前記変更手段６６Ｂは、前記人の数が多いほど、前記角度が大きいほど、また、前記距離が短いほど、前記上限値及び下限値の差が大きくなるように前記上限値及び下限値の変更を行なうことを特徴とする。
【０１５２】
本発明にあっては、前記変更手段は、前記人の数が多いほど、前記角度が大きいほど、また、前記距離が短いほど、前記上限値及び下限値の差が大きくなるように前記上限値及び下限値の変更を行なう。すなわち、前記変更手段は、前記液晶パネルの表示面の斜め方向に人がいる場合は前記上限値及び下限値の差を大きくする。一方、観察者が前記表示面の正面に近づけば近づくほど、前記上限値及び下限値の差を小さくする。
【符号の説明】
【０１５３】
１  表示装置
１２  付加部
１３  付加値算出部
１４  カウンタ
２１  ラインメモリ
２２  フレームメモリ
６１  ＣＰＵ
６２  階調調整部
６３  判定部
６４  減算部
６５  最大差算出部
６６、６６Ａ、６６Ｂ  変更部
６７  絶対値算出部
６８  人検出部
９０  撮像部
【図１】
2015018046.tif 000003
【図２】
2015018046.tif 000004
【図３】
2015018046.tif 000005
【図４】
2015018046.tif 000006
【図５】
2015018046.tif 000007
【図６】
2015018046.tif 000008
【図７】
2015018046.tif 000009
【図８】
2015018046.tif 000010
【図９】
2015018046.tif 000011
【図１０】
2015018046.tif 000012
【図１１】
2015018046.tif 000013
【図１２】
2015018046.tif 000014
【図１３】
2015018046.tif 000015
【図１４】
2015018046.tif 000016
【図１５】
2015018046.tif 000017
【図１６】
2015018046.tif 000018
【図１７】
2015018046.tif 000019
【図１８】
2015018046.tif 000020